(57)【要約】【課題】  ホテル等の宿泊施設において、宿泊者等に電話接続環境を提供するにあたり、電話設備に掛かる機器費用の軽減及び電話設備の施工、保守に掛かる労力の軽減を図る。また、宿泊者等が電話設備を使用した事により発生する電話通信費の削減を図り、宿泊者等の施設利用者へ電話設備を無料で提供する。【解決手段】  ホテル等の館内に敷設された館内ＣＡＴＶ伝送路を介して宿泊者等にインターネット接続を提供するＲＦ変調方式ＬＡＮシステムを有する環境において、客室内に設置する有料テレビジョン放送視聴装置に、インターネットプロトコルによる電話接続装置を統合し、インターネットプロトコルによる電話接続網への接続を可能とする。【選択図】  図２
2005176285.tif 000002
【特許請求の範囲】
【請求項１】
ホテル等の館内に敷設された館内ＣＡＴＶ伝送路を介して宿泊者等にインターネット接続を提供するＲＦ変調方式ＬＡＮシステムを有する環境において、
前述のＲＦ変調方式ＬＡＮシステムは、２線式伝送路を介するｘＤＳＬ方式や、光ケーブルを介するＦＴＴＨ方式等のインターネット接続回線を介して外部のインターネット網に接続する変復調装置と、変復調装置を館内ＣＡＴＶ伝送路に接続するＲＦ変調方式中央ケーブルモデムと、宿泊者等のコンピュータ装置を館内ＣＡＴＶ伝送路に接続するＲＦ変調方式ＬＡＮシステム用ケーブルモデムによって構成され、この環境下においてインターネットプロトコルによる電話接続機能をホテル等の宿泊者等に提供する事を特徴とする。
【請求項２】
前述のインターネットプロトコルによる電話接続機能は、ホテル等の客室等に設置されるインターネットプロトコルによる電話接続装置統合型有料テレビジョン放送視聴装置によって提供される事を特徴とする。
【発明の詳細な説明】
【技術分野】
【０００１】  本発明は、ホテル、旅館、病院等に設置するインターネットプロトコルによる電話設備に係り、特に有料テレビジョン放送視聴装置にインターネットプロトコルによる電話接続装置を統合し、ホテル等の客室等より、商業的電話交換網を介さずに電話接続機能を提供するためのシステムに関する。
【背景技術】
【０００２】  従来、ホテル等にて電話設備を提供するシステムとしては、ホテル等の建造物に設置された構内電話交換機に商業的電話交換網を接続し、構内電話交換機から客室等まで敷設された２線式伝送回路を経由して、客室等に設置された電話機まで接続される構内電話交換機方式が知られる。【０００３】  このようなシステムでは、ホテル等の客室等に設置された多数の電話機と、構内電話交換機を１対１で接続する２線式伝送回路にて接続し、構内電話交換機によって客室等に設置された電話機と商業的電話交換網の接続が行われる。
【発明の開示】
【本発明が解決しようとする課題】
【０００４】  しかしながら、上述した従来の構内電話交換機を有するシステムでは、構内電話交換機と電話機が設置される客室等まで多数の２線式伝送回路を敷設する必要があり、設備を導入する上で設置が煩雑となる。また、構外に設置された電話機との接続は商業的電話交換網を要して行うため、通話毎に掛かる時間距離併用通信費、回線の契約毎に掛かる回線使用料等が発生する。このため設備設置者は、電話使用料として施設利用者である宿泊者等に転嫁する事態が発生する。
【０００５】  本発明は、ＲＦ変調方式ＬＡＮシステムを有する館内ＣＡＴＶ施設によって提供されるインターネット接続環境において、インターネットプロトコルによる電話接続網への接続を可能とし、宿泊者等にインターネットプロトコルによる電話接続を提供する事を目的とする。
【課題を解決するための手段】
【０００６】  上記の課題を解決するため、本発明はホテル等の客室内に設置する有料テレビジョン放送視聴装置に、インターネットプロトコルによる電話接続装置を統合する事を特徴とする。
【０００７】  各室に設置されるインターネットプロトコルによる電話接続装置統合型有料テレビジョン放送視聴装置は、壁面等からＲＦ用同軸ケーブルにて館内ＣＡＴＶ伝送路と接続される。
【０００８】  インターネットプロトコルによる電話接続装置統合型有料テレビジョン放送視聴装置では、電話機接続部より入力された音声情報を符号化、圧縮し、ＲＦ変調方式ＬＡＮシステム用ケーブルモデムへ入力し、館内ＣＡＴＶ伝送路に送出する。また、館内ＣＡＴＶ伝送路を経由して伝送されるＲＦ変調された音声情報パケットはＲＦ変調方式ＬＡＮシステム用ケーブルモデムによって復調され、インターネットプロトコルによる電話接続装置により伸展、再音声化を行い、電話機接続部に出力する。発信を行う場合には、電話機接続部より入力されたＤＴＭＦ信号を上位インターネットプロトコルによる電話接続網に送信し、通話先への接続を行う。
【０００９】  インターネットプロトコルによる電話接続装置統合型有料テレビジョン放送視聴装置を有するＲＦ変調方式ＬＡＮシステムでは、ＲＦ変調方式中央ケーブルモデムにて各ＲＦ変調方式ＬＡＮシステム用ケーブルモデムから送信されるＲＦ変調されたパケットを復調し、上位インターネット接続網に送出する。また、上位インターネット接続網より受信したパケットをＲＦ変調し、各ＲＦ変調方式ＬＡＮシステム用ケーブルモデムへ送信する。このようにして、インターネットプロトコルによる電話接続装置統合型有料テレビジョン放送視聴装置は上位インターネット接続網に接続され、上位インターネット接続網に存在するインターネットプロトコルによる電話接続網を経由し、通話先と接続される。
【発明の効果】
【００１０】  本発明によるインターネットプロトコルによる電話接続装置統合型有料テレビジョン放送視聴装置は、ホテル等に敷設された館内ＣＡＴＶ伝送路によってＲＦ変調方式中央ケーブルモデムと接続される事により、客室等に設置された電話機を構内電話交換機と１対１で接続する必要が無くなる。また、インターネットプロトコルによる電話接続網では、通話先がインターネットプロトコルによる電話であれば回線使用料が通常の商業的電話交換網と比較して非常に安価である為、宿泊者等に回線使用料を転嫁せずに電話接続環境を提供する事が可能となる為、前述の課題を解決することができる。
【発明を実施するための最良の形態】
【００１１】  以下、図面を参照して本発明の実施形態を説明する。
図１は本発明の一実施形態に係るホテル内のインターネットプロトコルによる電話接続システムの概略構成を示す。このインターネットプロトコルによる電話接システムは、外部インターネット網１と接続する変復調装置２と、変復調装置２から出力されるインターネット接続信号をＲＦ変調する中央ケーブルモデム３と、中央ケーブルモデム３にてＲＦ変調されたインターネット接続信号を館内テレビジョン共聴送信設備５から出力されるＲＦ変調されたテレビジョン信号と混合するテレビジョン信号混合器４と、ホテル等の館内に敷設された館内ＣＡＴＶ伝送路６、客室７に設置されたインターネットプロトコルによる電話接続装置統合型有料テレビジョン放送視聴装置８と、電話機９にて構成される。【００１２】  変復調装置２は、２線式伝送路を介するｘＤＳＬ方式や、光ケーブルを介するＦＴＴＨ方式等のインターネット接続回線を介して外部インターネット網１と接続する。変復調装置２は１０ＢＡＳＥ−Ｔ又は１００ＢＡＳＥ−ＴＸにて中央ケーブルモデム３と接続され、中央ケーブルモデム３からＲＦ信号として出力され、テレビジョン信号混合器４によって館内テレビジョン共聴送信設備５から出力されるテレビジョン信号と混合され、館内ＣＡＴＶ伝送路６に出力される。【００１３】  客室７には、インターネットプロトコルによる電話接続装置統合型有料テレビジョン放送視聴装置８が設置され、電話機９が接続される。このように接続される事により、客室７に設置された電話機９は、館内ＣＡＴＶ伝送路６を経由し、テレビジョン信号混合器４、中央ケーブルモデム３、変復調装置２を経てインターネット網１に接続される。【００１４】  図２はインターネットプロトコルによる電話接続装置統合型有料テレビジョン放送視聴装置の概略構成を示す。このインターネットプロトコルによる電話接続装置統合型有料テレビジョン放送視聴装置８のＲＦ入力端子１０より入力されたＲＦ信号は、インターネットプロトコルによる電話接続装置統合型有料テレビジョン放送視聴装置８に内蔵されたＲＦ信号分配器１１によって分配され、インターネットプロトコルによる電話接続装置統合型有料テレビジョン放送視聴装置８内のテレビジョン信号受信部１２にてテレビジョン映像、音声として再生される。また、ＲＦ信号分配器１１にて分配されたＲＦ信号はインターネットプロトコルによる電話接続装置統合型有料テレビジョン放送視聴装置８内のインターネットプロトコルによる電話接続装置部１３に接続され、音声信号として電話機にて使用するＲＪ−１１規格の電話接続部１４に出力される。
【産業上の利用可能性】
【００１５】
【図面の簡単な説明】
【００１６】
【図１】本発明の一実施形態に係るインターネットプロトコルによる電話接続システムの構成を示すブロック図
【図２】本発明の一実施形態における有料テレビジョン放送視聴装置統合型インターネットプロトコルによる電話接続装置の構成を示すブロック図
【符号の説明】
１…外部インターネット網
２…変復調装置
３…中央ケーブルモデム
４…テレビジョン信号混合器
５…館内テレビジョン共聴送信設備
６…館内ＣＡＴＶ伝送路
７…客室
８…インターネットプロトコルによる電話接続装置統合型有料テレビジョン放送視聴装置
９…電話機
１０…ＲＦ入力端子
１１…ＲＦ信号分配器
１２…テレビジョン信号受信部
１３…インターネットプロトコルによる電話接続装置部
１４…ＲＪ−１１規格電話接続部
【図１】
2005176285.tif 000003
【図２】
2005176285.tif 000004